(57)【特許請求の範囲】
【請求項１】
四周枠部Ｆと四周枠部Ｆの内側に設けた透明体Ｇからなる本体部ＢＯと、収納された液晶画面ｄｇを覆って保護する保護カバーＣとを有する携帯情報端末ケース１００において、保護カバーＣが、保護カバー取付部Ｃ１と保護カバー背部Ｃ２と保護カバー正面部Ｃ３からなり、四周枠部Ｆのうち１つの長手枠部Ｆ１が切欠部Ｎを切り欠いてなり、保護カバーＣ取付部Ｃ１が切り欠いた切欠部Ｎにピッタリ嵌合されると共に、保護カバー取付部Ｃ１の内面Ｈ１と長手枠部Ｆ１の第１側面Ｈ１とが接着されてなることを特徴とする携帯情報端末ケース１００。
ここに、切欠部Ｎとは、第１側面Ｈ１と第２側面Ｈ２と第３側面Ｈ３と両底面Ｓ１、Ｓ２から構成される直柱体Ｎ０であって、
（１）第１側面Ｈ１とは、本体部ＢＯの背面に平行な幅Ｂ（ｃｍ）×長さＬ（ｃｍ）の平面である。
（２）第２側面Ｈ２とは、本体部ＢＯの左側面に平行な深さＴ（ｃｍ）×長さＬ（ｃｍ）の平面である。
（３）第３側面Ｈ３とは、長手枠部Ｆ１の表面の幅Ｂ（ｃｍ）×長さＬ（ｃｍ）の曲面である。
（４）底面Ｓ１、Ｓ２とは、両端の底面をいう。
そして、保護カバー取付部Ｃ１とは、深さＴ（ｃｍ）×長さＬ（ｃｍ）の平面シートである。
【請求項２】
四周枠部Ｆと四周枠部Ｆの内側に設けた透明体Ｇからなる本体部ＢＯと、収納された液晶画面ｄｇを覆って保護する保護カバーＣとを有する携帯情報端末ケース１００において、保護カバーＣが、保護カバー取付部Ｃ１と保護カバー背部Ｃ２と保護カバー正面部Ｃ３からなり、四周枠部Ｆのうち１つの長手枠部Ｆ１が切欠部Ｎを切り欠いてなり、保護カバー取付部Ｃ１の内面Ｈ１と長手枠部Ｆ１の第１側面Ｈ１とが接着され、保護カバー取付部Ｃ１の側面Ｓ１、Ｓ２と長手枠部の両底面Ｓ１、Ｓ２とが接着されて、保護カバーＣが長手枠部Ｆ１に取り付けてなることを特徴とする携帯情報端末ケース１００。
ここに、切欠部Ｎとは、第１側面Ｈ１と第２側面Ｈ２と第３側面Ｈ３と両底面Ｓ１、Ｓ２から構成される直柱体Ｎ０であって、
（１）第１側面Ｈ１とは、本体部ＢＯの背面に平行な幅Ｂ（ｃｍ）×長さＬ（ｃｍ）の平面である。
（２）第２側面Ｈ２とは、本体部ＢＯの左側面に平行な深さＴ（ｃｍ）×長さＬ（ｃｍ）の平面である。
（３）第３側面Ｈ３とは、長手枠部Ｆ１の表面の幅Ｂ（ｃｍ）×長さＬ（ｃｍ）の曲面である。
（４）底面Ｓ１、Ｓ２とは、両端の底面をいう。
そして、保護カバー取付部Ｃ１とは、深さＴ（ｃｍ）×長さＬ（ｃｍ）の平面シートである。
【請求項３】
さらに、保護カバーＣ背部Ｃ２の内面と長手枠部Ｆ１の第２側面とが接着されてなることを特徴とする請求項１〜２の何れかに記載された携帯情報端末ケース１００。
【請求項４】
携帯情報端末９９を収納した携帯情報端末ケース１００において、背面側から携帯情報端末９９の背面に描かれた装飾物を透明体Ｇを透過させて観察できることを特徴とする請求項１〜３の何れかに記載された携帯情報端末ケース１００。
【請求項５】
携帯情報端末９９を収納した携帯情報端末ケース１００において、本体部ＢＯの透明体Ｇと携帯情報端末９９の空隙に装飾カードｃｄを収納してなり、背面側から装飾カードｃｄの装飾物を透明体Ｇを透過させて観察できることを特徴とする請求項１〜４の何れかに記載された携帯情報端末ケース１００。
【請求項６】
保護カバー正面部Ｃ３の端辺付近に方形磁石Ｍを内包させ、対応する携帯情報端末ケース１００の側面に方形鉄板Ｍ１を内包させると共に、Ｎ極からＳ極の方向が方形鉄板Ｍ１の板厚方向であることを特徴とする請求項１〜５の何れかに記載された携帯情報端末ケース１００。
【請求項７】
保護カバー正面部Ｃ３の端辺付近に係止具１０を装着させ、係止具１０に方形磁石Ｍを内包させ、対応する携帯情報端末ケース１００の側面に方形鉄板Ｍ１を内包させると共に、Ｎ極からＳ極の方向が方形鉄板Ｍ１の板厚方向であることを特徴とする請求項１〜６の何れかに記載された携帯情報端末ケース１００。
【請求項８】
保護カバー正面部Ｃ３の内側に、カードｃｄを収納するポケットＰＯを設けたことを特徴とする請求項１〜７の何れかに記載された携帯情報端末ケース１００。
【請求項９】
保護カバー正面部ＢＰの内側に、カードｃｄを収納するポケットＰＯを、カード収納口Ｏが保護カバー背部ＣＢの付近になるように設けたことを特徴とする請求項１〜８の何れかに記載された携帯情報端末ケース１００。
【発明の詳細な説明】
【技術分野】
【０００１】
本発明は、携帯情報端末ケース１００に関する。
詳しくは、携帯情報端末を収納した携帯情報端末ケースにおいて、背面側から携帯情報端末の背面に描かれた装飾物を透明体を透過させて観察できる携帯情報端末ケース１００に関する。  
さらに、詳しくは、携帯情報端末を収納した携帯情報端末ケースにおいて、本体部と透明体と携帯情報端末の空隙に装飾カードを収納してなり、背面側から装飾カードの装飾物を透明体を透過させて観察できる携帯情報端末ケースに関する。
【背景技術】
【０００２】
【発明の開示】
【０００３】
発明者は、かかる従来技術の欠点に鑑み鋭意研究した結果、本発明を完成させた。
【先行技術文献】
【特許文献】
【０００４】
本願発明に係る携帯情報端末ケース１００について、ＦＩ、キーワード検索を行ったところ、本件発明（請求項１〜９の何れかにに記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
本体部が四周枠部と四周枠部の内側に設けた透明体からなると共に、収納された携帯情報端末の液晶画面を覆って保護する保護カバーを有する携帯情報端末ケースにおいて、背面に透明体を有する本体部に保護カバーを結合するにあたり、本体部の透明な部分に保護カバーがはみ出して被さったり、保護カバーの厚さＴ（ｃｍ）分の段差が生じ、ケース自体の見た目が悪くなってしまっている従来技術の欠点を解消した携帯情報端末ケース１００を提供することである。
○本発明が解決しようとする第２課題
本発明が解決しようとする第２課題は、
本体部が四周枠部と四周枠部の内側に設けた透明体からなると共に、収納された携帯情報端末の液晶画面を覆って保護する保護カバーを有する携帯情報端末ケースにおいて、本体部の長手枠部に保護カバーを精度よくかつ迅速に結合するにあたり、寸法精度を重視すれば結合に要する作業時間が掛かり、作業時間を重視すれば結合後の寸法精度度が不十分になるという従来技術の欠点を解消した、手作業の当該結合作業でも精度よくかつワンタッチで迅速に結合することができる携帯情報端末ケース１００を提供することである。
○本発明が解決しようとする第３課題
本発明が解決しようとする第３課題は、
本体部が四周枠部と四周枠部の内側に設けた透明体からなると共に、収納された携帯情報端末の液晶画面を覆って保護する保護カバーを有する携帯情報端末ケースにおいて、本体部の長手枠部に保護カバーを結合するにあたり、本体部の長手枠部と保護カバーの接着面の角部分が応力集中により剥がれ易くなっているという従来技術の欠点を解消した携帯情報端末ケース１００を提供することである。
○本発明が解決しようとする第４課題
本発明が解決しようとする第４課題は、
本体部が四周枠部と四周枠部の内側に設けた透明体からなると共に、収納された携帯情報端末の液晶画面を覆って保護する保護カバーを有する携帯情報端末ケースにおいて、係止具を磁石の作用を利用することによって実現する場合に、ワンタッチで開閉可能である共に、磁石の極性と向きに捕らわれずに製造できる携帯情報端末ケース１００を提供することである。
○本発明が解決しようとする第５課題
本発明が解決しようとする第５課題は、
本体部が四周枠部と四周枠部の内側に設けた透明体からなると共に、収納された携帯情報端末の液晶画面を覆って保護する保護カバーを有する携帯情報端末ケースにおいて、カードを収納できて便利で、かつ、収納されている間は、保護カバーが係止具で閉じられていることにより、カードが携帯情報端末ケースより落下することのない携帯情報端末ケース１００を提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
＜（右手系の）ＸＹＺ座標系について＞
本発明について、座標系は、右手系のＸＹＺ座標系を採用するものとする。
ＸＹＺ座標系は、原則として、以下のように定める。
Ｘ方向とは、正面から背面への方向（水平方向）をいう。
Ｙ方向とは、垂直方向（反重力方向）をいう。
Ｚ方向とは、Ｘに向かって左側から右側方向（水平方向）をいう。
携帯情報端末ケース１００の重心を中心として、中心に近い側を内側とし、中心に遠い側を外側とする。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＜ＸＹＺ座標系と６面図（正面図、背面図、平面図、底面図、左側面図、右側面図）との関係＞
以下、ＸＹＺ座標系と６面図の関係について説明する。
既に、＜（右手系の）ＸＹＺ座標系について＞において、（右手系の）ＸＹＺ座標系の定義をした（図１０）。
かかるＸＹＺ座標系において、以下のように、６面図（正面図、背面図、平面図、底面図、左側面図、右側面図）を定義する（図１６）
６面図中、先ず、正面図を定義する。携帯情報端末ケース１００において、正面側にいる観察者が、背面側にある携帯情報端末ケース１００を観察して見える図を正面図（紙面側から紙背側が−Ｘ方向）と定義をする。
そして、背面図を定義する。背面側にいる観察者が、正面側にある携帯情報端末ケース１００を観察して見える図を背面図（紙面側から紙背側がＸ方向）と定義をする。
次に、平面図を定義する。上側にいる観察者が、下側にある携帯情報端末ケース１００を観察して見える図を平面図（紙面側から紙背側が−Ｙ方向）と定義をする。
そして、底面図を定義する。下側にいる観察者が、上側にある携帯情報端末ケース１００を観察して見える図を底面図（紙面側から紙背側がＹ方向）と定義をする。
次に、左側面図を定義する。左側面側にいる観察者が、右側面側にある携帯情報端末ケース１００を観察して見える図を左側面図（紙面側から紙背側が−Ｚ方向）と定義をする。
そして、右側面図を定義する。右側面側にいる観察者が、左側面側にある携帯情報端末ケース１００を観察して見える図を右側面図（紙面側から紙背側がＺ方向）と定義をする。
ここに、
正面斜視図とは、正面側にいる観察者が、背面側にある携帯情報端末ケース１００を右上から観察して見える図をいう。
背面斜視図とは、背面側にいる観察者が、正面側にある携帯情報端末ケース１００を右上から観察して見える図をいう。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
〇携帯情報端末ケース１００とは、本体部ＢＯと保護カバーＣからなり、正面に液晶画面ｄｇを有する携帯情報端末９９を収納するためのケースであって、本体部ＢＯと保護カバーＣとを、結合してなるケースである。
ここに、結合とは、いくつかのもの本発明に係る構成要素が結びついて一つになることをいう。例えば、構成要素とは、保護カバーＣ、保護カバー取付部Ｃ１と体部ＢＯと保護カバー取付部Ｃ１保護カバー取付部Ｃ１と長手枠部Ｆ１とがある。結合とは、接着剤等によって接着させて結合させる（接着結合）場合が含まれ、本発明においては、結合力（接着力）をアップさせるために、面同士が接着する面接着を採用している。
〇本体部ＢＯとは、携帯情報端末ケース１００の構成要素であって、携帯情報端末９９を収納する部分である。
より具体的には、
本体部ＢＯとは、四周枠部Ｆと四周枠部Ｆの内側に設けた透明体Ｇからなる。
〇保護カバーＣとは、携帯情報端末９９の液晶画面ｄｇを覆って保護するカバー（シート）をいう。
保護カバーＣとは、保護カバー取付部Ｃ１と保護カバー背部Ｃ２と保護カバー正面部Ｃ３からなり、保護カバー取付部Ｃ１と保護カバー背部Ｃ２と保護カバー正面部Ｃ３が一体成型したカバーである。本体部ＢＯと保護カバーＣとは、切欠部Ｎを切り欠いた長手枠部Ｆ１と保護カバーＣの取付部Ｃ１とが結合してなるケースである。
〇保護カバー取付部Ｃ１とは、切欠部Ｎを切り欠いた長手枠部Ｆ１（第１側面Ｈ１と第２側面Ｈ２と底面Ｓ１、Ｓ２）との間で、接着させて、保護カバーＣを本体部ＢＯに取り付ける厚さＴ（ｃｍ）×長さＬ（ｃｍ）の取付部（シート）をいう。
保護カバー取付部Ｃ１は、切欠部Ｎを切り欠いた長手枠部Ｆ１に嵌合し、接着結合される。
シートとは、薄板をいい、素材はプラスチック、布、紙、金属などさまざまである。シートは、保形性を有すると同時に可撓性も有する。
●保護カバー取付部Ｃ１の内面Ｈ１とは、長手枠部Ｆ１の第１の側面Ｈ１と接着する面をいう。内面と称するのは、携帯情報端末ケース１００の重心を中心として、中心に近い側の面であるからである。
●保護カバー取付部Ｃ１の両側面Ｓ１、Ｓ２とは、長手枠部Ｆ１の両底面Ｓ１、Ｓ２と接着する面をいう。
●保護カバー取付部Ｃ１の先端面Ｈ２とは、長手枠部Ｆ１の第２の側面Ｈ２と接着する面をいう。
〇保護カバー背部Ｃ２は、保護カバーＣを開閉するための屈曲部（シート）をいう。
〇保護カバー正面部Ｃ３とは、携帯情報端末９９の液晶画面ｄｇを覆って保護するシートをいう。
〇本体部ＢＯの正面側とは、液晶画面ｄｇを有する携帯情報端末９９を収納した携帯情報端末ケース１００の液晶画面ｄｇ側をいう。
〇本体部ＢＯの背面側とは、四周枠部Ｆと四周枠部Ｆの内側に設けた透明体Ｇから構成された側をいい、液晶画面ｄｇを有する携帯情報端末９９を収納した携帯情報端末ケース１００の液晶画面側と反対側をいう。
〇四周枠部Ｆとは、本体部ＢＯにおいて、透明体Ｇを保持してなる、四周部分をいう。
四周枠部Ｆとは、一対の長手枠部Ｆ１と一対の短手枠部Ｆ２とから構成される。長手枠部Ｆ１の長さＬ１（ｃｍ）は、短手枠部Ｆ２の長さＬ２（ｃｍ）よりも長い。
〇透明体Ｇとは、携帯情報端末ケース１００に、携帯情報端末９９を収納した場合において、本体部ＢＯを、四周枠部Ｆと四周枠部Ｆの内側に設けた透明体Ｇから構成することにより、携帯情報端末背面の装飾画面Ｄｇが、ケース背面側から見えるようにするために設けられた透明板Ｇである。
透明体Ｇは、謂わば、絵画等を飾る額縁のガラス板に相当する。
〇長手枠部Ｆ１とは、一対の長手枠部のうちの一方又は他方の長手枠部Ｆ１をいう。
●長手枠部Ｆ１の第１の側面Ｈ１とは、切欠部Ｎを切欠く前の切欠部Ｎの第１側面Ｈ１と同一の面をいう。
●長手枠部Ｆ１の両底面Ｓ１、Ｓ２とは、切欠部Ｎを切欠く前の切欠部Ｎの両底面Ｓ１、Ｓ２と同一の面をいう。
●長手枠部Ｆ１の第２の側面Ｈ２とは、切欠部Ｎを切欠く前の切欠部Ｎの第２の側面Ｈ２と同一の面をいう。
●長手枠部Ｆ１は、切欠部Ｎを切欠いた後は、第１の側面Ｈ１と手枠部Ｆ１の両底面Ｓ１、Ｓ２と第２の側面Ｈ２からなる凹部を有する。
●切欠部Ｎの第１側面Ｈ１と、長手枠部Ｆ１の第１の側面Ｈ１と、保護カバー取付部Ｃ１の内面Ｈ１は、共に合同である。
●切欠部Ｎの両底面Ｓ１、Ｓ２と、長手枠部Ｆ１の両底面Ｓ１、Ｓ２と、保護カバー取付部Ｃ１の両側面Ｓ１、Ｓ２（長手枠部Ｆ１の両底面Ｓ１、Ｓ２と接着する範囲に限る。）は、共に合同である。
●切欠部Ｎの第２側面Ｈ２と、長手枠部Ｆ１の第２の側面Ｈ２と、保護カバー取付部Ｃ１の先端面Ｈ２は、共に合同である。
〇短手枠部Ｆ２とは、一対の短手枠部のうちの一方又は他方の短手枠部Ｆ２をいう。
〇液晶画面ｄｇとは、液晶組成物を利用する平面状で薄型の携帯情報端末９９に表示される画面をいう。
●切欠部Ｎとは、第１側面Ｈ１と第２側面Ｈ２と第３側面Ｈ３と両底面Ｓ１、Ｓ２から構成される直柱体Ｎ０であって、
（１）第１側面Ｈ１とは、本体部ＢＯの背面に平行な幅Ｂ（ｃｍ）×長さＬ（ｃｍ）の平面である。
（２）第２側面Ｈ２とは、本体部ＢＯの左側面に平行な深さＴ（ｃｍ）×長さＬ（ｃｍ）の平面である。
（３）第３側面Ｈ３とは、長手枠部Ｆ１の幅Ｂ（ｃｍ）×長さＬ（ｃｍ）の表面の曲面である。
（４）底面Ｓ１、Ｓ２とは、両端の底面をいう。
そして、保護カバー取付部Ｃ１とは、深さＴ（ｃｍ）×長さＬ（ｃｍ）の平面シートである。
〇方形磁石Ｍとは、方形状をした、表面（おもてめん）がＮ極で裏面（うらめん）がＳ極、あるいは、表面（おもてめん）がＳ極で裏面（うらめん）がＮ極からなる永久磁石をいう。
〇方形鉄板Ｍ１とは、長方形状をした鉄板をいう。
〇係止具１０とは、携帯情報端末９９の液晶画面ｄｇを覆って保護すべき開閉自在に、かつ、確実に閉じるために、保護カバーＣ（保護カバー正面部Ｃ３）の端辺付近に装着された係止手段をいう。
〇カードｃｄとは、ポケットＰＯに収納させるものとしては、キャッシュカード、クレジットカード、運転免許証明証カード、マイナンバーカード、ＩＣＯＣＡカード等の種々のカードをいう（図２２）。
〇装飾カードｃｄとは、携帯情報端末９９を収納した携帯情報端末ケース１００において、本体部ＢＯの透明体Ｇと携帯情報端末９９の空隙に収納させて、背面側から当該装飾カードｃｄの装飾物を透明体Ｇを透過させて観察できるようにした装飾用のカードをいう（図２５、図２６）。
〇ポケットＰＯとは、保護カバー正面部Ｃ３の内側に布を縫い付けて袋状にした部分であって、ここにカードｃｄなどを入れるのに使用する袋状にした部分をいう。
〇カード収納口Ｏとは、カードを出し入れするためのＹ方向（垂直方向）と平行な細長い開口をいう（図２２）。
カード収納口Ｏが保護カバー背部ＣＢの付近になるように設けたことを特徴とする請求項１〜８の何れかに記載された携帯情報端末ケース１００を提供することができた。
保護カバーＣが係止具で閉じられており、かつ、上記の構成を採っていることにより、ポケットＰＯに収納したカードｃｄが重力や動的荷重等によって、カード収納口Ｏから外側に移動しようとしても、カードｃｄは、保護カバーＣの保護カバー背部Ｃ２に当り、それ以上の移動が阻害され、カードｃｄが携帯情報端末ケース１００より落下することのない携帯情報端末ケース１００を提供することができた（図２２）。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＜切欠部について（その２）＞……図２７を参照
〇切欠部Ｎとは、側面Ｈ０から構成される直柱体Ｎ０をいう。
「切欠部Ｎとは、並行する両底面Ｓ１、Ｓ２とから構成される直柱体Ｎ０をいう。」と定義されるが、下記のように定義する方が発明の構成を説明しやすいので、本願明細書においては、下記の定義によるものとする。
本発明に係る切欠部Ｎとは、側面Ｈ０から構成される直柱体Ｎ０をいう。
すなわち、
切欠部Ｎとは、第１側面Ｈ１と第２側面Ｈ２と第３側面Ｈ３と両底面Ｓ１、Ｓ２から構成される直柱体Ｎ０をいう。
ここに、
・第１側面Ｈ１とは、本体部ＢＯの背面に平行な幅Ｂ（ｃｍ）×長さＬ（ｃｍ）の平面である。
・第２側面Ｈ２とは、本体部ＢＯの左側面に平行な深さＴ（ｃｍ）×長さＬ（ｃｍ）の平面である。
・第３側面Ｈ３とは、長手枠部Ｆ１の幅Ｂ×長さＬ（ｃｍ）の表面Ｆ１Ｏの曲面である。
・底面Ｓ１、Ｓ２とは、両端の底面をいう。
＜直柱体Ｎ０の定義＞…図２７を参照
〇直柱体Ｎ０とは、合同な二つの平面図形を底面Ｓ１、Ｓ２として持ち、底面Ｓ１、Ｓ２と側面Ｎ０が直交する、筒状の空間図形のことをいう。
直柱体Ｎ０の形状は、底面Ｓ（Ｓ１又はＳ２）の形状を決定すれば、一義的に決定される。
直柱体Ｎ０の形状は、側面Ｈ０の形状を決定しても、一義的に決定される。
直柱体Ｎ０の形状は、側面Ｈ０、両端面Ｓ１、Ｓ２の形状を決定しても、一義的に決定される。
〇側面Ｈ０とは、第１側面Ｈ１と第２側面Ｈ２と第３側面Ｈ３からなる筒状の面である。
〇第１側面Ｈ１とは、本体部ＢＯの背面に平行な幅Ｂ（ｃｍ）×長さＬ（ｃｍ）の平面である。
〇第２側面Ｈ２とは、本体部ＢＯの左側面に平行な深さＴ（ｃｍ）×長さＬ（ｃｍ）の平面である。
〇第３側面Ｈ３とは、長手枠部Ｆ１の表面の幅Ｂ（ｃｍ）×長さＬ（ｃｍ）の曲面である。曲面は、概ね凸面であるが、一部周辺部等が平面である場合もある。
〇底面Ｓ１、Ｓ２とは、両端の底面をいう。底面Ｓ１、Ｓ２は、底面Ｓとは合同で、かつ、平行である。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）…図２５、図２６、図２７を参照
上記の課題を解決するための第１の発明（請求項１に記載の発明）は、
四周枠部Ｆと四周枠部Ｆの内側に設けた透明体Ｇからなる本体部ＢＯと、収納された液晶画面ｄｇを覆って保護する保護カバーＣとを有する携帯情報端末ケース１００において、保護カバーＣが、保護カバー取付部Ｃ１と保護カバー背部Ｃ２と保護カバー正面部Ｃ３からなり、四周枠部Ｆのうち１つの長手枠部Ｆ１が切欠部Ｎを切り欠いてなり、保護カバーＣ取付部Ｃ１が切り欠いた切欠部Ｎにピッタリ嵌合されることを特徴とする携帯情報端末ケース１００。
ここに、切欠部Ｎとは、第１側面Ｈ１と第２側面Ｈ２と第３側面Ｈ３と両底面Ｓ１、Ｓ２から構成される直柱体Ｎ０であって、
（１）第１側面Ｈ１とは、本体部ＢＯの背面に平行な幅Ｂ（ｃｍ）×長さＬ（ｃｍ）の平面である。
（２）第２側面Ｈ２とは、本体部ＢＯの左側面に平行な深さＴ（ｃｍ）×長さＬ（ｃｍ）の平面である。
（３）第３側面Ｈ３とは、長手枠部Ｆ１の表面の幅Ｂ（ｃｍ）×長さＬ（ｃｍ）の曲面である。
（４）底面Ｓ１、Ｓ２とは、両端の底面をいう。
そして、保護カバー取付部Ｃ１とは、深さＴ（ｃｍ）×長さＬ（ｃｍ）の平面シートである。
○第２の発明（請求項２に記載の発明）…図２５、図２６、図２７、図２９、図３０を参照
上記の課題を解決するための第２の発明（請求項２に記載の発明）は、
四周枠部Ｆと四周枠部Ｆの内側に設けた透明体Ｇからなる本体部ＢＯと、収納された液晶画面ｄｇを覆って保護する保護カバーＣとを有する携帯情報端末ケース１００において、保護カバーＣが、保護カバー取付部Ｃ１と保護カバー背部Ｃ２と保護カバー正面部Ｃ３からなり、四周枠部Ｆのうち１つの長手枠部Ｆ１が切欠部Ｎを切り欠いてなり、保護カバー取付部Ｃ１の内面Ｈ１と長手枠部Ｆ１の第１側面Ｈ１とが接着され、保護カバー取付部Ｃ１の側面Ｓ１、Ｓ２と長手枠部の両底面Ｓ１、Ｓ２とが接着されて、保護カバーＣが長手枠部Ｆ１に取り付けてなることを特徴とする携帯情報端末ケース１００。
ここに、切欠部Ｎとは、第１側面Ｈ１と第２側面Ｈ２と第３側面Ｈ３と両底面Ｓ１、Ｓ２から構成される直柱体Ｎ０であって、
（１）第１側面Ｈ１とは、本体部ＢＯの背面に平行な幅Ｂ（ｃｍ）×長さＬ（ｃｍ）の平面である。
（２）第２側面Ｈ２とは、本体部ＢＯの左側面に平行な深さＴ（ｃｍ）×長さＬ（ｃｍ）の平面である。
（３）第３側面Ｈ３とは、長手枠部Ｆ１の表面の幅Ｂ（ｃｍ）×長さＬ（ｃｍ）の曲面である。
（４）底面Ｓ１、Ｓ２とは、両端の底面をいう。
そして、保護カバー取付部Ｃ１とは、深さＴ（ｃｍ）×長さＬ（ｃｍ）の平面シートである。
○第３の発明（請求項３に記載の発明）
上記の課題を解決するための第３の発明（請求項３に記載の発明）は、
さらに、保護カバーＣ背部Ｃ２の内面と長手枠部Ｆ１の第２側面とが接着されてなることを特徴とする請求項１〜２の何れかに記載された携帯情報端末ケース１００である。
○第４の発明（請求項４に記載の発明）
上記の課題を解決するための第４の発明（請求項４に記載の発明）は、
携帯情報端末９９を収納した携帯情報端末ケース１００において、背面側から携帯情報端末９９の背面に描かれた装飾物を透明体Ｇを透過させて観察できることを特徴とする請求項１〜３の何れかに記載された携帯情報端末ケース１００である。
○第５の発明（請求項５に記載の発明）
上記の課題を解決するための第５の発明（請求項５に記載の発明）は、
携帯情報端末９９を収納した携帯情報端末ケース１００において、本体部ＢＯの透明体Ｇと携帯情報端末９９の空隙に装飾カードｃｄを収納してなり、背面側から装飾カードｃｄの装飾物を透明体Ｇを透過させて観察できることを特徴とする請求項１〜４の何れかに記載された携帯情報端末ケース１００である。
○第６の発明（請求項６に記載の発明）…実施例１発明という。
上記の課題を解決するための第６の発明（請求項６に記載の発明）は、
保護カバー正面部Ｃ３の端辺付近に方形磁石Ｍを内包させ、対応する携帯情報端末ケース１００の側面に方形鉄板Ｍ１を内包させると共に、Ｎ極からＳ極の方向が方形鉄板Ｍ１の板厚方向であることを特徴とする請求項１〜５の何れかに記載された携帯情報端末ケース１００である。
○第７の発明（請求項７に記載の発明）…実施例２発明という。
上記の課題を解決するための第７の発明（請求項７に記載の発明）は、
保護カバー正面部Ｃ３の端辺付近に係止具１０を装着させ、係止具１０に方形磁石Ｍを内包させ、対応する携帯情報端末ケース１００の側面に方形鉄板Ｍ１を内包させると共に、Ｎ極からＳ極の方向が方形鉄板Ｍ１の板厚方向であることを特徴とする請求項１〜６の何れかに記載された携帯情報端末ケース１００である。
○第８の発明（請求項８に記載の発明）
上記の課題を解決するための第８の発明（請求項８に記載の発明）は、
保護カバー正面部Ｃ３の内側に、カードｃｄを収納するポケットＰＯを設けたことを特徴とする請求項１〜７の何れかに記載された携帯情報端末ケース１００である。
○第９の発明（請求項９に記載の発明
上記の課題を解決するための第９の発明（請求項９に記載の発明）は、
保護カバー正面部ＢＰの内側に、カードｃｄを収納するポケットＰＯを、カード収納口Ｏが保護カバー背部ＣＢの付近になるように設けたことを特徴とする請求項１〜８の何れかに記載された携帯情報端末ケース１００である。
【発明の効果】
【０００７】
本発明に係る携帯情報端末ケース１００は、上記のような特徴的構成要件から構成され、特徴的構成要件に応じた、以下のような本願発明特有の効果を奏する。
また、上記の各発明に応じた、上記のような特徴的構成要件から構成された携帯情報端末ケース１００によれば、本願発明の課題を十分解消することができた。
○第１の発明の効果
第１の発明によれば、
四周枠部Ｆと四周枠部Ｆの内側に設けた透明体Ｇからなる本体部ＢＯと、収納された液晶画面ｄｇを覆って保護する保護カバーＣとを有する携帯情報端末ケース１００において、保護カバーＣが、保護カバー取付部Ｃ１と保護カバー背部Ｃ２と保護カバー正面部Ｃ３からなり、四周枠部Ｆのうち１つの長手枠部Ｆ１が切欠部Ｎを切り欠いてなり、保護カバーＣ取付部Ｃ１が切り欠いた切欠部Ｎにピッタリ嵌合されることを特徴とする携帯情報端末ケース１００。
ここに、切欠部Ｎとは、第１側面Ｈ１と第２側面Ｈ２と第３側面Ｈ３と両底面Ｓ１、Ｓ２から構成される直柱体Ｎ０であって、
（１）第１側面Ｈ１とは、本体部ＢＯの背面に平行な幅Ｂ（ｃｍ）×長さＬ（ｃｍ）の平面である。
（２）第２側面Ｈ２とは、本体部ＢＯの左側面に平行な深さＴ（ｃｍ）×長さＬ（ｃｍ）の平面である。
（３）第３側面Ｈ３とは、長手枠部Ｆ１の表面の幅Ｂ（ｃｍ）×長さＬ（ｃｍ）の曲面である。
（４）底面Ｓ１、Ｓ２とは、両端の底面をいう。
そして、保護カバー取付部Ｃ１とは、深さＴ（ｃｍ）×長さＬ（ｃｍ）の平面シートである。
という特徴的な構成要件により、本発明が解決しようとする第１課題〜第５課題を達成することができ、当業者予測不可能な顕著な効果を奏することができた。
○第２の発明の効果
第２の発明によれば、
四周枠部Ｆと四周枠部Ｆの内側に設けた透明体Ｇからなる本体部ＢＯと、収納された液晶画面ｄｇを覆って保護する保護カバーＣとを有する携帯情報端末ケース１００において、保護カバーＣが、保護カバー取付部Ｃ１と保護カバー背部Ｃ２と保護カバー正面部Ｃ３からなり、四周枠部Ｆのうち１つの長手枠部Ｆ１が切欠部Ｎを切り欠いてなり、保護カバー取付部Ｃ１の内面Ｈ１と長手枠部Ｆ１の第１側面Ｈ１とが接着され、保護カバー取付部Ｃ１の側面Ｓ１、Ｓ２と長手枠部の両底面Ｓ１、Ｓ２とが接着されて、保護カバーＣが長手枠部Ｆ１に取り付けてなることを特徴とする携帯情報端末ケース１００。
ここに、切欠部Ｎとは、第１側面Ｈ１と第２側面Ｈ２と第３側面Ｈ３と両底面Ｓ１、Ｓ２から構成される直柱体Ｎ０であって、
（１）第１側面Ｈ１とは、本体部ＢＯの背面に平行な幅Ｂ（ｃｍ）×長さＬ（ｃｍ）の平面である。
（２）第２側面Ｈ２とは、本体部ＢＯの左側面に平行な深さＴ（ｃｍ）×長さＬ（ｃｍ）の平面である。
（３）第３側面Ｈ３とは、長手枠部Ｆ１の表面の幅Ｂ（ｃｍ）×長さＬ（ｃｍ）の曲面である。
（４）底面Ｓ１、Ｓ２とは、両端の底面をいう。
そして、保護カバー取付部Ｃ１とは、深さＴ（ｃｍ）×長さＬ（ｃｍ）の平面シートである。
という特徴的な構成要件により、本発明が解決しようとする第１課題〜第５課題を達成することができ、当業者予測不可能な顕著な効果を奏することができた。
○第３の発明の効果
第３の発明によれば、
さらに、保護カバーＣ背部Ｃ２の内面と長手枠部Ｆ１の第２側面とが接着されてなることという特徴的な構成要件により、本発明が解決しようとする第１課題〜第５課題を達成することができ、当業者予測不可能な顕著な効果を奏することができた。
○第４の発明の効果
第４の発明によれば、
携帯情報端末９９を収納した携帯情報端末ケース１００において、背面側から携帯情報端末９９の背面に描かれた装飾物を透明体Ｇを透過させて観察できることという特徴的な構成要件により、本発明が解決しようとする第１課題〜第５課題を達成することができ、当業者予測不可能な顕著な効果を奏することができた。
○第５の発明の効果
第５の発明によれば、
携帯情報端末９９を収納した携帯情報端末ケース１００において、本体部ＢＯの透明体Ｇと携帯情報端末９９の空隙に装飾カードｃｄを収納してなり、背面側から装飾カードｃｄの装飾物を透明体Ｇを透過させて観察できることという特徴的な構成要件により、本発明が解決しようとする第１課題〜第５課題を達成することができ、当業者予測不可能な顕著な効果を奏することができた。
○第６の発明の効果
第６の発明によれば、
保護カバー正面部Ｃ３の端辺付近に方形磁石Ｍを内包させ、対応する携帯情報端末ケース１００の側面に方形鉄板Ｍ１を内包させると共に、Ｎ極からＳ極の方向が方形鉄板Ｍ１の板厚方向であることという特徴的な構成要件により、本発明が解決しようとする第１課題〜第５課題を達成することができ、当業者予測不可能な顕著な効果を奏することができた。
○第７の発明の効果
第７の発明によれば、
保護カバー正面部Ｃ３の端辺付近に係止具１０を装着させ、係止具１０に方形磁石Ｍを内包させ、対応する携帯情報端末ケース１００の側面に方形鉄板Ｍ１を内包させると共に、Ｎ極からＳ極の方向が方形鉄板Ｍ１の板厚方向であることという特徴的な構成要件により、本発明が解決しようとする第１課題〜第５課題を達成することができ、当業者予測不可能な顕著な効果を奏することができた。
○第８の発明の効果
第８の発明によれば、
保護カバー正面部Ｃ３の内側に、カードｃｄを収納するポケットＰＯを設けたことという特徴的な構成要件により、本発明が解決しようとする第１課題〜第５課題を達成することができ、当業者予測不可能な顕著な効果を奏することができた。
○第９の発明の効果
第９の発明によれば、
保護カバー正面部ＢＰの内側に、カードｃｄを収納するポケットＰＯを、カード収納口Ｏが保護カバー背部ＣＢの付近になるように設けたこという特徴的な構成要件により、本発明が解決しようとする第１課題〜第５課題を達成することができ、当業者予測不可能な顕著な効果を奏することができた。
【発明を実施するための最良の形態】
【０００８】
以下、本発明に係る、携帯情報端末ケース１００に関する最良の実施形態について、図面を参照しながら説明する。
図１〜図１２は、実施例１を表した図であり、図１３〜図２４は、実施例２を表した図である。実施例１、及び実施例２は共に保護カバー正面部Ｃ３と本体部ＢＯとの係止手段に特徴を有する実施例である（請求項６、請求項７を参照）。
［図１］図１は、本発明に係る携帯情報端末ケース１００を表す正面図である。
［図２］図２は、本発明に係る携帯情報端末ケース１００を表す背面図である。
［図３］図３は、本発明に係る携帯情報端末ケース１００を表す左側面図である。
［図４］図４は、本発明に係る携帯情報端末ケース１００を表す右側面図である。
［図５］図５は、本発明に係る携帯情報端末ケース１００を表す平面図である。図２５の（Ａ）図は、保護カバー取付部Ｃ１と長手枠部Ｆ１とが結合された状態を表す拡大平面断面図である。詳細は、［図２５］〜［図２７］を参照のこと。
［図６］図６は、本発明に係る携帯情報端末ケース１００を表す底面図である。
［図７］図７は、本発明に係る携帯情報端末ケース１００を表す正面斜視図である。
［図８］図８は、本発明に係る携帯情報端末ケース１００を１８０度開いた状態を表す正面図である。
［図９］図９は、本発明に係る携帯情報端末ケース１００を１８０度開いた状態を表す背面図である。
［図１０］図１０は、本発明に係る携帯情報端末ケース１００を９０度開いた状態を表す正面斜視図である。ここに、ｄｇは、携帯情報端末９９を本体部ＢＯに装着した場合の液晶面を表す。
［図１１］図１１は、本発明に係る携帯情報端末ケース１００を９０度開いた状態を表す背面斜視図である。
［図１２］図１２は、本発明に係る本体部ＢＯと保護カバーＣの結合した状態を表す背面斜視図である。
［図１３］図１３は、本発明に係る携帯情報端末ケース１００を表す正面図である。
［図１４］図１４は、本発明に係る携帯情報端末ケース１００を表す背面図である。
［図１５］図１５は、本発明に係る携帯情報端末ケース１００を表す左側面図である。
［図１６］図１６は、本発明に係る携帯情報端末ケース１００を表す右側面図である。
［図１７］図１７は、本発明に係る携帯情報端末ケース１００を表す平面図である。
［図１８］図１８は、本発明に係る携帯情報端末ケース１００を表す底面図である。
［図１９］図１９は、本発明に係る携帯情報端末ケース１００を表す正面斜視図である。
［図２０］図２０は、本発明に係る携帯情報端末ケース１００を１８０度開いた状態を表す正面図である。
［図２１］図２１は、本発明に係る携帯情報端末ケース１００を１８０度開いた状態を表す背面図である。
［図２２］図２２は、本発明に係る携帯情報端末ケース１００を９０度開いた状態を表す正面斜視図である。
［図２３］図２３は、本発明に係る携帯情報端末ケース１００を９０度開いた状態を表す背面斜視図である。
［図２４］図２４は、本発明に係る携帯情報端末ケース１００を表すＸＹＺ座標系と６面図（正面図、背面図、平面図、底面図、左側面図、右側面図）との関係を示す図である。
［図２５］図２５は、保護カバー取付部Ｃ１と長手枠部Ｆ１とが結合された状態を表す拡大平面断面図である。
保護カバー取付部Ｃ１とは、深さＴ（ｃｍ）×長さＬ（ｃｍ）の平面シートであり、内面Ｈ１と両側面Ｓ１、Ｓ２と先端面Ｈ２からなる。
保護カバー取付部Ｃ１とは、先端面Ｈ２から幅Ｂ（ｃｍ）までの範囲の平面シートをいう。
長手枠部Ｆ１とは、切欠部Ｎを切り欠いてなり、切り欠いた後に、第１側面Ｈ１と第２側面Ｈ２と底面Ｓ１、Ｓ２から構成されてなる。
保護カバー取付部Ｃ１の内面Ｈ１と両側面Ｓ１、Ｓ２と先端面Ｈ２は、対応する長手枠部Ｆ１の第１側面Ｈ１と第２側面Ｈ２と底面Ｓ１、Ｓ２と、それぞれ接着してなる。
［図２６］図２６は、保護カバー取付部Ｃ１と長手枠部Ｆ１とが結合される前の状態（分離された状態を）を表す拡大平面断面図である。
保護カバー取付部Ｃ１とは、深さＴ（ｃｍ）×長さＬ（ｃｍ）の平面シートであり、内面Ｈ１と両側面Ｓ１、Ｓ２と先端面Ｈ２からなる。
保護カバー取付部Ｃ１とは、先端面Ｈ２から幅Ｂ（ｃｍ）までの範囲の平面シートをいう。
長手枠部Ｆ１とは、切欠部Ｎを切り欠いてなり、切り欠いた後に、第１側面Ｈ１と第２側面Ｈ２と底面Ｓ１、Ｓ２から構成されてなる。
保護カバー取付部Ｃ１の内面Ｈ１と両側面Ｓ１、Ｓ２と先端面Ｈ２は、対応する長手枠部Ｆ１の第１側面Ｈ１と第２側面Ｈ２と底面Ｓ１、Ｓ２と、それぞれ接着してなる。
［図２７］図２７は、保護カバー取付部Ｃ１及び切欠部Ｎ（直柱体Ｎ０）を平面側に立って左上から見た図面である。
（Ａ）図は、保護カバー取付部Ｃ１を平面側に立って左上から見た図面である。
保護カバー取付部Ｃ１とは、深さＴ（ｃｍ）×長さＬ（ｃｍ）の平面シートであり、内面Ｈ１と両側面Ｓ１、Ｓ２と先端面Ｈ２からなる。
保護カバー取付部Ｃ１とは、先端面Ｈ２から幅Ｂ（ｃｍ）までの範囲の平面シートをいう。
（Ｂ）図は、保護カバー取付部Ｃ１を平面側に立って左上から見た図面である。
長手枠部Ｆ１とは、切欠部Ｎを切り欠いてなり、切り欠いた後に、第１側面Ｈ１と第２側面Ｈ２と底面Ｓ１、Ｓ２から構成されてなる。
保護カバー取付部Ｃ１の内面Ｈ１と両側面Ｓ１、Ｓ２と先端面Ｈ２は、対応する長手枠部Ｆ１の第１側面Ｈ１と第２側面Ｈ２と底面Ｓ１、Ｓ２と、それぞれ接着してなる。
［図２８］図２８は、本体部ＢＯと保護カバーＣとの関係を示す図である。
（Ａ）図は、本体部背面に透明体Ｇを設置しておらず、背面側から携帯情報端末９９の背面に描かれた装飾物、装飾カードｃｄの装飾物を観察しない場合の本体部ＢＯと保護カバーＣとの関係を示す図である。
装飾物を観察しない場合には、保護カバーＣの保護カバー正面部Ｃ３の内面を本体部ＢＯの背面に接着することができ、接着面積Ｂを広くすることができるので、本発明が解決しようとする第１課題を発見することはできない。
（Ｂ）図は、背面側から携帯情報端末９９の背面に描かれた装飾物、あるいは、装飾カードｃｄの装飾物を透明体Ｇを透過させて観察する場合の本体部ＢＯと保護カバーＣとの関係を示す図である（図２５、図２６図も参照）。
装飾物を透明体Ｇを透過させて観察する場合には、取付面積Ｂ（ｃｍ）が狭くなり、発明者は、鋭意試作を続ける中で、本発明が解決しようとする第１課題を発見した。
［図２９］図２９は、本発明が解決しようとする第３課題（請求項２の特徴的な構成要件により第３課題を解消した。）を説明するための図である。
図２９には、保護カバー取付部Ｃ１を平面側に立って左上から見た図面が表示されている。
保護カバー取付部Ｃ１の内面Ｈ１と長手枠部Ｆ１の第１側面Ｈ１とが接着され、保護カバー取付部Ｃ１の側面Ｓ１、Ｓ２と長手枠部の両底面Ｓ１、Ｓ２とが接着されない場合（請求項１に記載の発明）について、比較例として（請求項１に記載の発明を、請求項２に記載の発明の比較例として）検討する。
めくり力Ｐ（ｋｇ重）が、保護カバーＣを手で図２９のように付加される場合、ＡＢＣで囲まれた角部の局部面積である面積Ａ１に引張接着応力が作用し、面積Ａ１の引張接着応力を積分したＰ１（ｋｇ重）の間には、（１）式が成立する。
めくり力Ｐ＝Ｐ１（ｋｇ重）…（１）式
引張接着応力が作用する角の局部面積である面積Ａ１は非常に小さいので応力集中の程度が非常に大きく、引張接着応力が大きくなって非常に捲れ易くなる。
特に、保護カバー取付部Ｃ１が可撓性のシートの場合は、角部に応力集中が生じ易く、非常に剥がれ易いという難点がある。
発明者は、鋭意試作を続ける中で、本発明が解決しようとする第３課題を発見した。
［図３０］図３０は、請求項２に記載された発明の顕著な効果（本発明が解決しようとする第３課題を解消したという顕著な効果）を説明するための図である。
図３０には、保護カバー取付部Ｃ１を平面側に立って左上から見た図面が表示されている。
めくり力Ｐ（ｋｇ重）が、保護カバーＣを手で図２９のように付加される場合、面積Ａ１に引張接着応力が作用し、面積Ａ２にせん断接着応力が作用し、面積Ａ１の引張接着応力を積分したＰ１（ｋｇ重）と面積Ａ２の引張接着応力を積分したＰ２（ｋｇ重）と面積Ａ１の引張接着応力を積分したＰ１（ｋｇ重）の間には、（２）式が成立する。
めくり力Ｐ＝Ｐ１＋Ｐ２（ｋｇ重）…（２）式が成立する。
引張接着応力よりせん断接着応力の方がやや大きいが近似として等しいとすれば、概算式は、Ｐ２／Ｐ１＝Ａ２／Ａ１となる。
仮にＡ２／Ａ１とすれば、Ｐ２＝Ｐ１＝Ｐ／２となり、ここに、Ｐ２＝０の場合は、Ｐ１＝Ｐとなり、面積Ａ１には２倍の引張接着応力が掛かることになり、非常にめくれ易い。
すなわち、保護カバー取付部Ｃ１の内面Ｈ１と長手枠部Ｆ１の第１側面Ｈ１とが接着され、保護カバー取付部Ｃ１の側面Ｓ１、Ｓ２と長手枠部の両底面Ｓ１、Ｓ２とが接着されない場合に比較して、保護カバー取付部Ｃ１の内面Ｈ１と長手枠部Ｆ１の第１側面Ｈ１とが接着され、保護カバー取付部Ｃ１の側面Ｓ１、Ｓ２と長手枠部の両底面Ｓ１、Ｓ２とが接着されない場合に比較して、引張接着応力が少なくなって捲れ難くなる（特に、保護カバー取付部Ｃ１が可撓性のシートの場合は、角部に応力集中がし易く、非常に剥がれ易い）。
したがって、請求項２の特徴的構成要件とすることにより、保護カバー取付部Ｃ１の内面Ｈ１と長手枠部Ｆ１の第１側面Ｈ１とが接着面の面積Ａ１への応力集中が大幅に減少して（半減して）、保護カバー取付部Ｃ１の内面Ｈ１と長手枠部Ｆ１の第１側面Ｈ１とが接着面角部が剥がれ難いという当業者予測できない顕著な効果を得られた。
以下、本発明に係る、携帯情報端末ケース１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯情報端末ケース１００において、
四周枠部Ｆと四周枠部Ｆの内側に設けた透明体Ｇからなる本体部ＢＯと、収納された液晶画面ｄｇを覆って保護する保護カバーＣとを有する携帯情報端末ケース１００において、保護カバーＣが、保護カバー取付部Ｃ１と保護カバー背部Ｃ２と保護カバー正面部Ｃ３からなり、四周枠部Ｆのうち１つの長手枠部Ｆ１が切欠部Ｎを切り欠いてなり、保護カバーＣ取付部Ｃ１が切り欠いた切欠部Ｎにピッタリ嵌合されることを特徴とする液晶画面ｄｇを覆って保護する保護カバーＣを有することを特徴とする携帯情報端末ケース１００が開示されている。
ここに、切欠部Ｎとは、第１側面Ｈ１と第２側面Ｈ２と第３側面Ｈ３と両底面Ｓ１、Ｓ２から構成される直柱体Ｎ０であって、
（１）第１側面Ｈ１とは、本体部ＢＯの背面に平行な幅Ｂ（ｃｍ）×長さＬ（ｃｍ）の平面である。
（２）第２側面Ｈ２とは、本体部ＢＯの左側面に平行な深さＴ（ｃｍ）×長さＬ（ｃｍ）の平面である。
（３）第３側面Ｈ３とは、長手枠部Ｆ１の表面の幅Ｂ（ｃｍ）×長さＬ（ｃｍ）の曲面である。
（４）底面Ｓ１、Ｓ２とは、両端の底面をいう。
そして、保護カバー取付部Ｃ１とは、深さＴ（ｃｍ）×長さＬ（ｃｍ）の平面シートである。
○第１の発明の効果
第１の発明によれば、
四周枠部Ｆと四周枠部Ｆの内側に設けた透明体Ｇからなる本体部ＢＯと、収納された液晶画面ｄｇを覆って保護する保護カバーＣとを有する携帯情報端末ケース１００において、保護カバーＣが、保護カバー取付部Ｃ１と保護カバー背部Ｃ２と保護カバー正面部Ｃ３からなり、四周枠部Ｆのうち１つの長手枠部Ｆ１が切欠部Ｎを切り欠いてなり、保護カバーＣ取付部Ｃ１が切り欠いた切欠部Ｎにピッタリ嵌合されることを特徴とする携帯情報端末ケース１００。
ここに、切欠部Ｎとは、第１側面Ｈ１と第２側面Ｈ２と第３側面Ｈ３と両底面Ｓ１、Ｓ２から構成される直柱体Ｎ０であって、
（１）第１側面Ｈ１とは、本体部ＢＯの背面に平行な幅Ｂ（ｃｍ）×長さＬ（ｃｍ）の平面である。
（２）第２側面Ｈ２とは、本体部ＢＯの左側面に平行な深さＴ（ｃｍ）×長さＬ（ｃｍ）の平面である。
（３）第３側面Ｈ３とは、長手枠部Ｆ１の表面の幅Ｂ（ｃｍ）×長さＬ（ｃｍ）の曲面である。
（４）底面Ｓ１、Ｓ２とは、両端の底面をいう。
そして、保護カバー取付部Ｃ１とは、深さＴ（ｃｍ）×長さＬ（ｃｍ）の平面シートである。
という特徴的な構成要件により、本発明が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯情報端末ケース１００において、
四周枠部Ｆと四周枠部Ｆの内側に設けた透明体Ｇからなる本体部ＢＯと、収納された液晶画面ｄｇを覆って保護する保護カバーＣとを有する携帯情報端末ケース１００において、保護カバーＣが、保護カバー取付部Ｃ１と保護カバー背部Ｃ２と保護カバー正面部Ｃ３からなり、四周枠部Ｆのうち１つの長手枠部Ｆ１が切欠部Ｎを切り欠いてなり、保護カバー取付部Ｃ１の内面Ｈ１と長手枠部Ｆ１の第１側面Ｈ１とが接着され、保護カバー取付部Ｃ１の側面Ｓ１、Ｓ２と長手枠部の両底面Ｓ１、Ｓ２とが接着されて、保護カバーＣが長手枠部Ｆ１に取り付けてなることを特徴とする携帯情報端末ケース１００が開示されている。
ここに、切欠部Ｎとは、第１側面Ｈ１と第２側面Ｈ２と第３側面Ｈ３と両底面Ｓ１、Ｓ２から構成される直柱体Ｎ０であって、
（１）第１側面Ｈ１とは、本体部ＢＯの背面に平行な幅Ｂ（ｃｍ）×長さＬ（ｃｍ）の平面である。
（２）第２側面Ｈ２とは、本体部ＢＯの左側面に平行な深さＴ（ｃｍ）×長さＬ（ｃｍ）の平面である。
（３）第３側面Ｈ３とは、長手枠部Ｆ１の表面の幅Ｂ（ｃｍ）×長さＬ（ｃｍ）の曲面である。
（４）底面Ｓ１、Ｓ２とは、両端の底面をいう。
そして、保護カバー取付部Ｃ１とは、深さＴ（ｃｍ）×長さＬ（ｃｍ）の平面シートである。
○第２の発明の効果
第２の発明によれば、
四周枠部Ｆと四周枠部Ｆの内側に設けた透明体Ｇからなる本体部ＢＯと、収納された液晶画面ｄｇを覆って保護する保護カバーＣとを有する携帯情報端末ケース１００において、保護カバーＣが、保護カバー取付部Ｃ１と保護カバー背部Ｃ２と保護カバー正面部Ｃ３からなり、四周枠部Ｆのうち１つの長手枠部Ｆ１が切欠部Ｎを切り欠いてなり、保護カバー取付部Ｃ１の内面Ｈ１と長手枠部Ｆ１の第１側面Ｈ１とが接着され、保護カバー取付部Ｃ１の側面Ｓ１、Ｓ２と長手枠部の両底面Ｓ１、Ｓ２とが接着されて、保護カバーＣが長手枠部Ｆ１に取り付けてなることを特徴とする携帯情報端末ケース１００。
ここに、切欠部Ｎとは、第１側面Ｈ１と第２側面Ｈ２と第３側面Ｈ３と両底面Ｓ１、Ｓ２から構成される直柱体Ｎ０であって、
（１）第１側面Ｈ１とは、本体部ＢＯの背面に平行な幅Ｂ（ｃｍ）×長さＬ（ｃｍ）の平面である。
（２）第２側面Ｈ２とは、本体部ＢＯの左側面に平行な深さＴ（ｃｍ）×長さＬ（ｃｍ）の平面である。
（３）第３側面Ｈ３とは、長手枠部Ｆ１の表面の幅Ｂ（ｃｍ）×長さＬ（ｃｍ）の曲面である。
（４）底面Ｓ１、Ｓ２とは、両端の底面をいう。
そして、保護カバー取付部Ｃ１とは、深さＴ（ｃｍ）×長さＬ（ｃｍ）の平面シートである。
という特徴的な構成要件により、本発明が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯情報端末ケース１００において、
さらに、保護カバーＣ背部Ｃ２の内面と長手枠部Ｆ１の第２側面とが接着されてなることを特徴とする請求項１〜２の何れかに記載された携帯情報端末ケース１００が開示されている。
○第３の発明の効果
第３の発明によれば、
さらに、保護カバーＣ背部Ｃ２の内面と長手枠部Ｆ１の第２側面とが接着されてなることという特徴的な構成要件により、本発明が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯情報端末ケース１００において、
携帯情報端末９９を収納した携帯情報端末ケース１００において、背面側から携帯情報端末９９の背面に描かれた装飾物を透明体Ｇを透過させて観察できることを特徴とする請求項１〜３の何れかに記載された携帯情報端末ケース１００が開示されている。
○第４の発明の効果
第４の発明によれば、
携帯情報端末９９を収納した携帯情報端末ケース１００において、背面側から携帯情報端末９９の背面に描かれた装飾物を透明体Ｇを透過させて観察できることという特徴的な構成要件により、本発明が解決しようとする第１課題〜第５課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯情報端末ケース１００において、
携帯情報端末９９を収納した携帯情報端末ケース１００において、本体部ＢＯの透明体Ｇと携帯情報端末９９の空隙に装飾カードｃｄを収納してなり、背面側から装飾カードｃｄの装飾物を透明体Ｇを透過させて観察できることを特徴とする請求項１〜４の何れかに記載された携帯情報端末ケース１００が開示されている。
○第５の発明の効果
第５の発明によれば、
携帯情報端末９９を収納した携帯情報端末ケース１００において、本体部ＢＯの透明体Ｇと携帯情報端末９９の空隙に装飾カードｃｄを収納してなり、背面側から装飾カードｃｄの装飾物を透明体Ｇを透過させて観察できることという特徴的な構成要件により、本発明が解決しようとする第１課題〜第５課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯情報端末ケース１００において、
保護カバー正面部Ｃ３の端辺付近に方形磁石Ｍを内包させ、対応する携帯情報端末ケース１００の側面に方形鉄板Ｍ１を内包させると共に、Ｎ極からＳ極の方向が方形鉄板Ｍ１の板厚方向であることを特徴とする請求項１〜５の何れかに記載された携帯情報端末ケース１００が開示されている。
上記の携帯情報端末ケース１００において、
保護カバー正面部Ｃ３の端辺付近に方形磁石Ｍを内包させ、対応する携帯情報端末ケース１００の側面に方形鉄板Ｍ１を内包させると共に、Ｎ極からＳ極の方向が方形鉄板Ｍ１の板厚方向であることという特徴的な構成要件により、本発明が解決しようとする第１課題〜第５課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯情報端末ケース１００において、
保護カバー正面部Ｃ３の端辺付近に係止具１０を装着させ、係止具１０に方形磁石Ｍを内包させ、対応する携帯情報端末ケース１００の側面に方形鉄板Ｍ１を内包させると共に、Ｎ極からＳ極の方向が方形鉄板Ｍ１の板厚方向であることを特徴とする請求項１〜６の何れかに記載された携帯情報端末ケース１００が開示されている。
○第７の発明の効果
第７の発明によれば、
保護カバー正面部Ｃ３の端辺付近に係止具１０を装着させ、係止具１０に方形磁石Ｍを内包させ、対応する携帯情報端末ケース１００の側面に方形鉄板Ｍ１を内包させると共に、Ｎ極からＳ極の方向が方形鉄板Ｍ１の板厚方向であることという特徴的な構成要件により、本発明が解決しようとする第１課題〜第５課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯情報端末ケース１００において、
保護カバー正面部Ｃ３の内側に、カードｃｄを収納するポケットＰＯを設けたことを特徴とする請求項１〜７の何れかに記載された携帯情報端末ケース１００が開示されている。
○第８の発明の効果
第８の発明によれば、
保護カバー正面部Ｃ３の内側に、カードｃｄを収納するポケットＰＯを設けたことという特徴的な構成要件により、本発明が解決しようとする第１課題〜第５課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の携帯情報端末ケース１００において、
保護カバー正面部ＢＰの内側に、カードｃｄを収納するポケットＰＯを、カード収納口Ｏが保護カバー背部ＣＢの付近になるように設けたことを特徴とする請求項１〜８の何れかに記載された携帯情報端末ケース１００が開示されている。
○第９の発明の効果
第９の発明によれば、
保護カバー正面部ＢＰの内側に、カードｃｄを収納するポケットＰＯを、カード収納口Ｏが保護カバー背部ＣＢの付近になるように設けたこという特徴的な構成要件により、本発明が解決しようとする第１課題〜第５課題を達成することができ、当業者予測不可能な顕著な効果を奏することができた。
【図面の簡単な説明】
【０００９】
図１〜図１２は、実施例１を表した図であり、図１３〜図２４は、実施例２を表した図である。実施例１、及び実施例２は共に保護カバー正面部Ｃ３と本体部ＢＯとの係止手段に特徴を有する実施例である（請求項６、請求項７を参照）。
【図１】図１は、本発明に係る携帯情報端末ケース１００を表す正面図である。
【図２】図２は、本発明に係る携帯情報端末ケース１００を表す背面図である。
【図３】図３は、本発明に係る携帯情報端末ケース１００を表す左側面図である。
【図４】図４は、本発明に係る携帯情報端末ケース１００を表す右側面図である。
【図５】図５は、本発明に係る携帯情報端末ケース１００を表す平面図でる。図２５の（Ａ）図は、保護カバー取付部Ｃ１と長手枠部Ｆ１とが結合された状態を表す拡大平面断面図である。詳細は、［図２５］〜［図２７］を参照のこと。
【図６】図６は、本発明に係る携帯情報端末ケース１００を表す底面図である。
【図７】図７は、本発明に係る携帯情報端末ケース１００を表す正面斜視図である。
【図８】図８は、本発明に係る携帯情報端末ケース１００を１８０度開いた状態を表す正面図である。
【図９】図９は、本発明に係る携帯情報端末ケース１００を１８０度開いた状態を表す背面図である。
【図１０】図１０は、本発明に係る携帯情報端末ケース１００を９０度開いた状態を表す正面斜視図である。ここに、ｄｇは、携帯情報端末９９を本体部ＢＯに装着した場合の液晶面を表す。
【図１１】図１１は、本発明に係る携帯情報端末ケース１００を９０度開いた状態を表す背面斜視図である。
【図１２】図１２は、本発明に係る本体部ＢＯと保護カバーＣの結合した状態を表す背面斜視図である。
【図１３】図１３は、本発明に係る携帯情報端末ケース１００を表す正面図である。
【図１４】図１４は、本発明に係る携帯情報端末ケース１００を表す背面図である。
【図１５】図１５は、本発明に係る携帯情報端末ケース１００を表す左側面図である。
【図１６】図１６は、本発明に係る携帯情報端末ケース１００を表す右側面図である。
【図１７】図１７は、本発明に係る携帯情報端末ケース１００を表す平面図である。
【図１８】図１８は、本発明に係る携帯情報端末ケース１００を表す底面図である。
【図１９】図１９は、本発明に係る携帯情報端末ケース１００を表す正面斜視図である。
【図２０】図２０は、本発明に係る携帯情報端末ケース１００を１８０度開いた状態を表す正面図である。
【図２１】図２１は、本発明に係る携帯情報端末ケース１００を１８０度開いた状態を表す背面図である。
【図２２】図２２は、本発明に係る携帯情報端末ケース１００を９０度開いた状態を表す正面斜視図である。
【図２３】図２３は、本発明に係る携帯情報端末ケース１００を９０度開いた状態を表す背面斜視図である。
【図２４】図２４は、本発明に係る携帯情報端末ケース１００を表すＸＹＺ座標系と６面図（正面図、背面図、平面図、底面図、左側面図、右側面図）との関係を示す図である。
【図２５】図２５は、保護カバー取付部Ｃ１と長手枠部Ｆ１とが結合された状態を表す拡大平面断面図である。  保護カバー取付部Ｃ１とは、深さＴ（ｃｍ）×長さＬ（ｃｍ）の平面シートであり、内面Ｈ１と両側面Ｓ１、Ｓ２と先端面Ｈ２からなる。  保護カバー取付部Ｃ１とは、先端面Ｈ２から幅Ｂ（ｃｍ）までの範囲の平面シートをいう。  長手枠部Ｆ１とは、切欠部Ｎを切り欠いてなり、切り欠いた後に、第１側面Ｈ１と第２側面Ｈ２と底面Ｓ１、Ｓ２から構成されてなる。  保護カバー取付部Ｃ１の内面Ｈ１と両側面Ｓ１、Ｓ２と先端面Ｈ２は、対応する長手枠部Ｆ１の第１側面Ｈ１と第２側面Ｈ２と底面Ｓ１、Ｓ２と、それぞれ接着してなる。
【図２６】図２６は、保護カバー取付部Ｃ１と長手枠部Ｆ１とが結合される前の状態（分離された状態を）を表す拡大平面断面図である。  保護カバー取付部Ｃ１とは、深さＴ（ｃｍ）×長さＬ（ｃｍ）の平面シートであり、内面Ｈ１と両側面Ｓ１、Ｓ２と先端面Ｈ２からなる。  保護カバー取付部Ｃ１とは、先端面Ｈ２から幅Ｂ（ｃｍ）までの範囲の平面シートをいう。  長手枠部Ｆ１とは、切欠部Ｎを切り欠いてなり、切り欠いた後に、第１側面Ｈ１と第２側面Ｈ２と底面Ｓ１、Ｓ２から構成されてなる。  保護カバー取付部Ｃ１の内面Ｈ１と両側面Ｓ１、Ｓ２と先端面Ｈ２は、対応する長手枠部Ｆ１の第１側面Ｈ１と第２側面Ｈ２と底面Ｓ１、Ｓ２と、それぞれ接着してなる。
【図２７】図２７は、保護カバー取付部Ｃ１及び切欠部Ｎ（直柱体Ｎ０）を平面側に立って左上から見た図面である。（Ａ）図は、保護カバー取付部Ｃ１を平面側に立って左上から見た図面である。  保護カバー取付部Ｃ１とは、深さＴ（ｃｍ）×長さＬ（ｃｍ）の平面シートであり、内面Ｈ１と両側面Ｓ１、Ｓ２と先端面Ｈ２からなる。  保護カバー取付部Ｃ１とは、先端面Ｈ２から幅Ｂ（ｃｍ）までの範囲の平面シートをいう。（Ｂ）図は、保護カバー取付部Ｃ１を平面側に立って左上から見た図面である。  長手枠部Ｆ１とは、切欠部Ｎを切り欠いてなり、切り欠いた後に、第１側面Ｈ１と第２側面Ｈ２と底面Ｓ１、Ｓ２から構成されてなる。  保護カバー取付部Ｃ１の内面Ｈ１と両側面Ｓ１、Ｓ２と先端面Ｈ２は、対応する長手枠部Ｆ１の第１側面Ｈ１と第２側面Ｈ２と底面Ｓ１、Ｓ２と、それぞれ接着してなる。
【図２８】図２８は、本体部ＢＯと保護カバーＣとの関係を示す図である。  （Ａ）図は、本体部背面に透明体Ｇを設置しておらず、背面側から携帯情報端末９９の背面に描かれた装飾物、装飾カードｃｄの装飾物を観察しない場合の本体部ＢＯと保護カバーＣとの関係を示す図である。  装飾物を観察しない場合には、保護カバーＣの保護カバー正面部Ｃ３の内面を本体部ＢＯの背面に接着することができ、接着面積Ｂを広くすることができるので、本発明が解決しようとする第１課題を発見することはできない。  （Ｂ）図は、背面側から携帯情報端末９９の背面に描かれた装飾物、あるいは、装飾カードｃｄの装飾物を透明体Ｇを透過させて観察する場合の本体部ＢＯと保護カバーＣとの関係を示す図である。  装飾物を透明体Ｇを透過させて観察する場合には、取付面積Ｂ（ｃｍ）が狭くなり、発明者は、鋭意試作を続ける中で、本発明が解決しようとする第１課題を発見した。
【図２９】図２９は、本発明が解決しようとする第３課題（請求項２の特徴的な構成要件により第３課題を解消した。）を説明するための図である。  図２９には、保護カバー取付部Ｃ１を平面側に立って左上から見た図面が表示されている。  保護カバー取付部Ｃ１の内面Ｈ１と長手枠部Ｆ１の第１側面Ｈ１とが接着され、保護カバー取付部Ｃ１の側面Ｓ１、Ｓ２と長手枠部の両底面Ｓ１、Ｓ２とが接着されない場合（請求項１に記載の発明）について、比較例として（請求項１に記載の発明を、請求項２に記載の発明の比較例として）検討する。  めくり力Ｐ（ｋｇ重）が、保護カバーＣを手で図２９のように付加される場合、ＡＢＣで囲まれた角部の局部面積である面積Ａ１に引張接着応力が作用し、面積Ａ１の引張接着応力を積分したＰ１（ｋｇ重）の間には、（１）式が成立する。  めくり力Ｐ＝Ｐ１（ｋｇ重）…（１）式  引張接着応力が作用する角の局部面積である面積Ａ１は非常に小さいので応力集中の程度が非常に大きく、引張接着応力が大きくなって非常に捲れ易くなる。  特に、保護カバー取付部Ｃ１が可撓性のシートの場合は、角部に応力集中が生じ易く、非常に剥がれ易い。発明者は、鋭意試作を続ける中で、本発明が解決しようとする第３課題を発見した。
【図３０】図３０は、請求項２に記載された発明の顕著な効果（本発明が解決しようとする第３課題を解消したという顕著な効果）を説明するための図である。  図３０には、保護カバー取付部Ｃ１を平面側に立って左上から見た図面が表示されている。  めくり力Ｐ（ｋｇ重）が、保護カバーＣを手で図２９のように付加される場合、面積Ａ１に引張接着応力が作用し、面積Ａ２にせん断接着応力が作用し、面積Ａ１の引張接着応力を積分したＰ１（ｋｇ重）と面積Ａ２の引張接着応力を積分したＰ２（ｋｇ重）と面積Ａ１の引張接着応力を積分したＰ１（ｋｇ重）の間には、（２Ｃ式が成立する。  めくり力Ｐ＝Ｐ１＋Ｐ２（ｋｇ重）…（２）  引張接着応力よりせん断接着応力の方がやや大きいが近似として等しいとすれば、概算式は、Ｐ２／Ｐ１＝Ａ２／Ａ１となる。  仮にＡ２／Ａ１とすれば、Ｐ２＝Ｐ１＝Ｐ／２となり、ここに、Ｐ２＝０の場合は、Ｐ１＝Ｐとなり、面積Ａ１には２倍の引張接着応力が掛かることになり、非常にめくれ易い。  すなわち、保護カバー取付部Ｃ１の内面Ｈ１と長手枠部Ｆ１の第１側面Ｈ１とが接着され、保護カバー取付部Ｃ１の側面Ｓ１、Ｓ２と長手枠部の両底面Ｓ１、Ｓ２とが接着されない場合に比較して、保護カバー取付部Ｃ１の内面Ｈ１と長手枠部Ｆ１の第１側面Ｈ１とが接着され、保護カバー取付部Ｃ１の側面Ｓ１、Ｓ２と長手枠部の両底面Ｓ１、Ｓ２とが接着されない場合に比較して、引張接着応力が少なくなって捲れ難くなる（特に、保護カバー取付部Ｃ１が可撓性のシートの場合は、角部に応力集中がし易く、非常に剥がれ易い）。  したがって、請求項２の特徴的構成要件とすることにより、保護カバー取付部Ｃ１の内面Ｈ１と長手枠部Ｆ１の第１側面Ｈ１とが接着面の面積Ａ１への応力集中が大幅に減少して（半減して）、保護カバー取付部Ｃ１の内面Ｈ１と長手枠部Ｆ１の第１側面Ｈ１とが接着面角部が剥がれ難いという当業者予測できない顕著な効果を得られた。
【符号の説明】
【００１０】
１００……携帯情報端末ケース
９９……携帯情報端末
ｄｇ……液晶画面
ＢＯ……本体部
Ｃ……保護カバー
Ｆ……四周枠部
Ｇ……透明体
Ｃ１……保護カバー取付部
Ｃ２……保護カバー背部
Ｃ３……保護カバー正面部
Ｆ１……長手枠部
Ｆ２……短手枠部
Ｎ……切欠部
Ｈ０……側面
Ｈ１……第１側面
Ｈ２……第２側面
Ｈ３……第３側面
Ｓ１、Ｓ２……底面
Ｎ０……直柱体
Ｍ……方形磁石
Ｍ１……方形鉄板
１０……係止具
【要約】      （修正有）【課題】携帯情報端末ケースにおいて、背面に透明体を有する本体部に保護カバーを結合するにあたり、本体部の透明な部分に保護カバーがはみ出して被さったり、保護カバーの厚さの段差が生じ、ケース自体の見た目が悪くなってしまっている従来技術の欠点を解消した携帯情報端末ケースを提供する。【解決手段】四周枠部と四周枠部の内側に設けた透明体Ｇからなる本体部と、収納された液晶画面を覆って保護する保護カバーとを有する携帯情報端末ケース１００において、保護カバーが、保護カバー取付部Ｃ１と保護カバー背部Ｃ２と保護カバー正面部Ｃ３からなり、四周枠部のうち１つの長手枠部Ｆ１が切欠部を切り欠いてなり、保護カバー取付部が切り欠いた切欠部にピッタリ嵌合されることを特徴とする携帯情報端末ケース。【選択図】図５【図１】
0006842019.tif 000002
【図２】
0006842019.tif 000003
【図３】
0006842019.tif 000004
【図４】
0006842019.tif 000005
【図５】
0006842019.tif 000006
【図６】
0006842019.tif 000007
【図７】
0006842019.tif 000008
【図８】
0006842019.tif 000009
【図９】
0006842019.tif 000010
【図１０】
0006842019.tif 000011
【図１１】
0006842019.tif 000012
【図１２】
0006842019.tif 000013
【図１３】
0006842019.tif 000014
【図１４】
0006842019.tif 000015
【図１５】
0006842019.tif 000016
【図１６】
0006842019.tif 000017
【図１７】
0006842019.tif 000018
【図１８】
0006842019.tif 000019
【図１９】
0006842019.tif 000020
【図２０】
0006842019.tif 000021
【図２１】
0006842019.tif 000022
【図２２】
0006842019.tif 000023
【図２３】
0006842019.tif 000024
【図２４】
0006842019.tif 000025
【図２５】
0006842019.tif 000026
【図２６】
0006842019.tif 000027
【図２７】
0006842019.tif 000028
【図２８】
0006842019.tif 000029
【図２９】
0006842019.tif 000030
【図３０】
0006842019.tif 000031